(57)【要約】      （修正有）【課題】複数の貨幣処理装置の間で貨幣を容易に移動することができる貨幣処理システム及び貨幣処理方法を提供する。【解決手段】貨幣処理システム１において、管理装置１０は、ネットワーク２を介して各貨幣処理装置１１〜１４から情報を取得する。管理装置１０は、取得した情報に基づいて各貨幣処理装置１１〜１４の貨幣の在高を管理する。在高とは、装置内に収納中の貨幣の金種と、各金種の貨幣量とを管理するための情報である。管理装置１０は、貨幣の在高の変化を監視することにより、貨幣の不足及び余剰を検知する。管理装置１０は、貨幣の不足を検知すると、貨幣が不足した貨幣処理装置に貨幣を補充するため、貨幣の移動方法を決定する。【選択図】図１
2020140297.tif 000002
【特許請求の範囲】
【請求項１】
複数の貨幣処理装置を含む貨幣処理システムであって、
貨幣の移動を要する貨幣処理装置を検知して、該貨幣処理装置との間で貨幣を移動する一又は複数の貨幣処理装置を、複数の貨幣処理装置の中から選択する管理装置
を備えることを特徴とする貨幣処理システム。
【請求項２】
前記管理装置は、貨幣の移動を要する貨幣処理装置に対して予め選択肢として設定された貨幣処理装置の中から、前記一又は複数の貨幣処理装置を選択することを特徴とする請求項１に記載の貨幣処理システム。
【請求項３】
前記管理装置は、貨幣を移動する際の移動経路を決定することを特徴とする請求項１又は２に記載の貨幣処理システム。
【請求項４】
前記管理装置は、貨幣を移動した際に、該貨幣の中に、移動先の貨幣処理装置に収納されない貨幣が含まれるか否かを判定し、収納されない貨幣がある場合には、さらに該貨幣の移動先となる貨幣処理装置を選択することを特徴とする請求項１〜３のいずれか１項に記載の貨幣処理システム。
【請求項５】
前記管理装置は、移動する貨幣の金種と、各貨幣処理装置に収納されている前記金種の在高とに基づいて、前記一又は複数の貨幣処理装置を選択することを特徴とする請求項１〜４のいずれか１項に記載の貨幣処理システム。
【請求項６】
前記管理装置は、各貨幣処理装置について設定された優先度に基づいて、前記一又は複数の貨幣処理装置を選択することを特徴とする請求項１〜５のいずれか１項に記載の貨幣処理システム。
【請求項７】
前記管理装置は、貨幣の移動を担当する担当者の移動距離に基づいて、前記一又は複数の貨幣処理装置を選択することを特徴とする請求項１〜６のいずれか１項に記載の貨幣処理システム。
【請求項８】
貨幣の移動は、前記貨幣処理装置に着脱可能なカセットを利用して行われることを特徴とする請求項１〜７のいずれか１項に記載の貨幣処理システム。
【請求項９】
管理装置が実行する貨幣処理方法であって、
貨幣の移動を要する貨幣処理装置を検知する工程と、
前記貨幣処理装置との間で貨幣を移動する一又は複数の貨幣処理装置を、複数の貨幣処理装置の中から選択する工程と
を含むことを特徴とする貨幣処理方法。
【発明の詳細な説明】
【技術分野】
【０００１】
この発明は、貨幣処理システム及び貨幣処理方法に関する。
【背景技術】
【０００２】
従来、店舗内で複数の貨幣処理装置が利用されている。例えば、レジでは、貨幣の入金及び釣銭の出金を行う入出金装置が釣銭機として利用される。バックオフィスでは、釣銭機へ補充する貨幣の出金及び釣銭機から集めた貨幣の入金を行うために入出金装置が利用される。来店客が貨幣を両替するための両替機が利用されることもある。
【０００３】
貨幣処理装置で貨幣の不足や余剰が発生すると貨幣処理を行えなくなる。貨幣が不足すると、店舗内の貨幣を管理する担当者は、現金輸送会社に貨幣の配送を依頼して、店舗に届いた貨幣を貨幣処理装置に補充する。貨幣が余剰になると、担当者は、余剰となった貨幣を店舗から回収するよう現金輸送会社に依頼する。
【０００４】
例えば、特許文献１には、店舗内にある貨幣処理装置の貨幣の在高を管理すると共に、在高のデータを現金輸送会社のサーバと共有する技術が開示されている。現金輸送会社は、店舗内で生じた貨幣の不足や余剰を把握して現金を輸送することができる。これにより、店舗の担当者の負担が軽減される。
【先行技術文献】
【特許文献】
【０００５】
【特許文献１】特開２０１７−９７８６６号公報
【発明の概要】
【発明が解決しようとする課題】
【０００６】
しかしながら、現金輸送会社に貨幣の輸送を依頼すると手数料がかかる。現金輸送会社への依頼回数を減らすため、店舗の担当者が、貨幣が不足した装置へ他の装置から貨幣を移動したり、貨幣が余剰となった装置から他の装置へ貨幣を移動したりすることが望ましい。従来、店舗内で複数の貨幣処理装置が利用されているにも拘わらず、装置間の貨幣の移動を容易に行うことができなかった。
【０００７】
本発明は、上記従来技術による課題に鑑みてなされたもので、複数の貨幣処理装置の間で貨幣を容易に移動することができる貨幣処理システム及び貨幣処理方法を提供することを目的とする。
【課題を解決するための手段】
【０００８】
上述した課題を解決し、目的を達成するため、本発明は、複数の貨幣処理装置を含む貨幣処理システムであって、貨幣の移動を要する貨幣処理装置を検知して、該貨幣処理装置との間で貨幣を移動する一又は複数の貨幣処理装置を、複数の貨幣処理装置の中から選択する管理装置を備えることを特徴とする。
【０００９】
また、本発明は、上記発明において、前記管理装置は、貨幣の移動を要する貨幣処理装置に対して予め選択肢として設定された貨幣処理装置の中から、前記一又は複数の貨幣処理装置を選択することを特徴とする。
【００１０】
また、本発明は、上記発明において、前記管理装置は、貨幣を移動する際の移動経路を決定することを特徴とする。
【００１１】
また、本発明は、上記発明において、前記管理装置は、貨幣を移動した際に、該貨幣の中に、移動先の貨幣処理装置に収納されない貨幣が含まれるか否かを判定し、収納されない貨幣がある場合には、さらに該貨幣の移動先となる貨幣処理装置を選択することを特徴とする。
【００１２】
また、本発明は、上記発明において、前記管理装置は、移動する貨幣の金種と、各貨幣処理装置に収納されている前記金種の在高とに基づいて、前記一又は複数の貨幣処理装置を選択することを特徴とする。
【００１３】
また、本発明は、上記発明において、前記管理装置は、各貨幣処理装置について設定された優先度に基づいて、前記一又は複数の貨幣処理装置を選択することを特徴とする。
【００１４】
また、本発明は、上記発明において、前記管理装置は、貨幣の移動を担当する担当者の移動距離に基づいて、前記一又は複数の貨幣処理装置を選択することを特徴とする。
【００１５】
また、本発明は、上記発明において、貨幣の移動は、前記貨幣処理装置に着脱可能なカセットを利用して行われることを特徴とする。
【００１６】
また、本発明は、管理装置が実行する貨幣処理方法であって、貨幣の移動を要する貨幣処理装置を検知する工程と、前記貨幣処理装置との間で貨幣を移動する一又は複数の貨幣処理装置を、複数の貨幣処理装置の中から選択する工程とを含むことを特徴とする。
【発明の効果】
【００１７】
本発明によれば、貨幣処理装置で貨幣の不足が生じた場合に、管理装置がこれを検知する。管理装置は、該貨幣処理装置に貨幣を補充するため、補充する貨幣の移動元とする一又は複数の貨幣処理装置を選択する。貨幣処理装置で貨幣の余剰が生じた場合も、これを検知した管理装置が、該貨幣処理装置から貨幣を回収するため、回収した貨幣の移動先とする一又は複数の貨幣処理装置を選択する。貨幣の移動を担当する担当者は、管理装置で選択された一又は複数の装置を対象に貨幣を移動することにより、貨幣の不足及び余剰を解消することができる。
【図面の簡単な説明】
【００１８】
【図１】図１は、本実施形態に係る貨幣処理システムの概要を説明するための模式図である。
【図２】図２は、店舗内に設置された貨幣処理システムの構成概略を示す図である。
【図３】図３は、管理装置の構成を示すブロック図である。
【図４】図４は、釣銭機及びＰＯＳレジスタの外観図である。
【図５】図５は、紙幣処理部及び硬貨処理部の内部構成概略を示す模式図である。
【図６】図６は、入出金機の外観図である。
【図７】図７は、紙幣処理部の内部構成概略を示す模式図である。
【図８】図８は、硬貨処理部の内部構成概略を示す模式図である。
【図９】図９は、両替機の内部構成概略を示す模式図である。
【図１０】図１０は、両替機の別の例を示す模式図である。
【図１１】図１１は、貨幣処理装置で硬貨の不足を検知して硬貨の移動方法を決定する際の処理の流れを示すフローチャートである。
【図１２】図１２は、硬貨の移動方法を案内する画面例を示す図である。
【図１３】図１３は、硬貨の移動方法を案内する別の画面例を示す図である。
【図１４】図１４は、硬貨の移動方法を案内するさらに別の画面例を示す図である。
【図１５】図１５は、硬貨の余剰を検知して貨幣の移動方法を決定する際の処理の流れを示すフローチャートである。
【発明を実施するための形態】
【００１９】
以下、添付図面を参照しながら、本発明に係る貨幣処理システム及び貨幣処理方法について説明する。図１は、本実施形態に係る貨幣処理システム１の概要を説明するための模式図である。図１に示すように、貨幣処理システム１は、管理装置１０と、複数の貨幣処理装置１１〜１４とを含む。管理装置１０及び貨幣処理装置１１〜１４は店舗に設置されている。管理装置１０は、ネットワーク２を介して、各貨幣処理装置１１〜１４と通信可能に接続されている。管理装置１０は、複数の貨幣処理装置１１〜１４の間で貨幣を移動する必要があるか否かを判定する。管理装置１０は、貨幣の移動が必要になると、貨幣の移動方法を決定する。
【００２０】
図１では、第１貨幣処理装置１１、第２貨幣処理装置１２、第３貨幣処理装置１３及び第４貨幣処理装置１４の４台を示しているが、貨幣処理装置の数は限定されない。各貨幣処理装置の種類も限定されず、貨幣の入金処理のみを行う入金装置であってもよいし、出金処理のみを行う出金装置であってもよいし、入金処理及び出金処理の両方を行う入出金装置であってもよい。各装置の処理対象は、紙幣のみであってもよいし、硬貨のみであってもよいし、紙幣と硬貨の両方であってもよい。本実施形態で貨幣と記載する場合には、紙幣又は硬貨に限定されず、紙幣である場合と、硬貨である場合と、紙幣及び硬貨の両方である場合とが含まれる。
【００２１】
管理装置１０は、ネットワーク２を介して各貨幣処理装置１１〜１４から情報を取得する。管理装置１０は、取得した情報に基づいて各貨幣処理装置１１〜１４の貨幣の在高を管理する。在高とは、装置内に収納中の貨幣の金種と、各金種の貨幣量とを管理するための情報である。管理装置１０は、貨幣の在高の変化を監視することにより、貨幣の不足及び余剰を検知する。
【００２２】
例えば、管理装置１０は、各金種の貨幣枚数を管理して、予め設定された下限枚数と比較することにより貨幣の不足を検知し、予め設定された上限枚数と比較することにより貨幣の余剰を検知する。例えば、管理装置１０は、各貨幣処理装置１１〜１４で行われた貨幣処理内容に基づいて各装置内の各金種の貨幣枚数を管理して、予め設定された下限枚数と比較することにより貨幣の不足を検知し、予め設定された上限枚数と比較することにより貨幣の余剰を検知する。また、例えば、管理装置１０は、各貨幣処理装置１１〜１４における各金種の貨幣の重量を管理し、各金種の貨幣の重量を、予め設定された重量の下限値と比較することにより貨幣の不足を検知し、予め設定された重量の上限値と比較することにより貨幣の余剰を検知する。
【００２３】
管理装置１０は、貨幣の不足を検知すると、貨幣が不足した貨幣処理装置に貨幣を補充するため、貨幣の移動方法を決定する。貨幣の補充は、店員が、一又は複数の貨幣処理装置から貨幣を取り出して、該貨幣を持って移動し、貨幣不足を検知した貨幣処理装置に収納する処理である。
【００２４】
例えば、図１に示すように、第１貨幣処理装置１１で貨幣が不足すると（Ａ１）、これを検知した管理装置１０が、第１貨幣処理装置１１に補充する貨幣の移動方法を決定する。具体的には、管理装置１０は、第１貨幣処理装置１１に補充する貨幣の金種及び枚数を決定すると共に、第２貨幣処理装置１２、第３貨幣処理装置１３及び第４貨幣処理装置１４の中から、この貨幣の移動元とする一又は複数の貨幣処理装置を選択する（Ａ２）。管理装置１０は、決定した貨幣の移動方法を店員に通知する。例えば、管理装置１０の表示部に、貨幣の移動方法を案内する情報が表示される。例えば、店員が所持する携帯端末に、貨幣の移動方法を案内する情報が表示される。通知を受けた店員は、管理装置１０が決定した貨幣の移動方法に従って貨幣を移動する（Ａ３）。第２貨幣処理装置１２が貨幣の移動元に決定された場合、図１に破線で示すように、店員は、第２貨幣処理装置１２から取り出した貨幣を第１貨幣処理装置１１に補充する。
【００２５】
管理装置１０は、貨幣の余剰を検知すると、貨幣が余剰になった貨幣処理装置から貨幣を回収して他の貨幣処理装置へ収納するため、貨幣の移動方法を決定する。貨幣の回収は、店員が、余剰貨幣を検知した貨幣処理装置から貨幣を取り出して、該貨幣を持って移動し、一又は複数の貨幣処理装置へ収納する処理である。
【００２６】
例えば、図１に示すように、第３貨幣処理装置１３で貨幣が余剰になると（Ｂ１）、これを検知した管理装置１０が、第３貨幣処理装置１３から回収する貨幣の移動方法を決定する。具体的には、管理装置１０は、回収する貨幣の金種及び枚数を決定すると共に、第１貨幣処理装置１１、第２貨幣処理装置１２及び第４貨幣処理装置１４の中から、この貨幣の移動先とする一又は複数の貨幣処理装置を選択する（Ｂ２）。管理装置１０は、決定した貨幣の移動方法を店員に通知する。貨幣の不足を検知した場合と同様に、管理装置１０の表示部又は店員が所持する携帯端末に貨幣の移動方法が通知される。店員は、管理装置１０が決定した貨幣の移動方法に従って貨幣を移動する（Ｂ３）。第４貨幣処理装置１４が移動先に決定された場合、図１に破線で示すように、店員は、第３貨幣処理装置１３から回収した貨幣を第４貨幣処理装置１４に収納する。
【００２７】
貨幣の補充を行う際、補充する貨幣全てを１台の貨幣処理装置から調達できない場合がある。この場合、管理装置１０は、複数の貨幣処理装置を貨幣の移動元に決定する。管理装置１０は、移動元の複数装置を決定すると、貨幣を移動する店員の移動距離が最短となるように移動経路を決定する。管理装置１０は、貨幣の移動経路と各装置で行う作業内容とを店員に通知する。
【００２８】
貨幣の回収を行う際も、回収する貨幣全てを１台の貨幣処理装置に収納できない場合がある。この場合、管理装置１０は、複数の貨幣処理装置を貨幣の移動先に決定する。管理装置１０は、店員の移動距離が最短となるように移動経路を決定して、貨幣の移動経路と各装置で行う作業内容とを店員に通知する。
【００２９】
例えば、大型の店舗内に多数の貨幣処理装置が設置されている場合でも、管理装置１０が、貨幣の不足又は余剰を検知して、これを解消するために複数の装置間で行う貨幣の移動方法を決定する。店員は、管理装置１０によって案内された通りに移動しながら、各装置の設置場所で、管理装置１０によって案内された通りに作業を行うだけでよい。これにより、装置間の貨幣の移動が容易になり、貨幣の移動を担当する店員の負担が軽減される。
【００３０】
管理装置１０は、貨幣補充時の貨幣の移動元及び貨幣回収時の貨幣の移動先を、各貨幣処理装置の現在の在高に基づいて選択することができる。例えば、管理装置１０は、補充する金種の貨幣量が最も多い貨幣処理装置を、補充貨幣の移動元に決定する。例えば、管理装置１０は、回収する金種の貨幣量が最も少ない貨幣処理装置を、回収貨幣の移動先に決定する。
【００３１】
管理装置１０は、貨幣補充時の貨幣の移動元及び貨幣回収時の貨幣の移動先を、各貨幣処理装置で過去に行われた貨幣処理の履歴に基づいて選択することができる。すなわち、管理装置１０は、各装置における過去の在高の変化に基づいて、貨幣の移動方法を決定することができる。例えば、補充貨幣の移動元を選択する際、管理装置１０は、各貨幣処理装置の在高の変化から、補充する金種の当日の増加量が最も大きい装置、又は、当日の減少量が最も小さい装置を移動元に決定する。例えば、回収貨幣の移動先を選択する際、管理装置１０は、各貨幣処理装置の在高の変化から、回収する金種の当日の増加量が最も小さい装置、又は当日の減少量が最も大きい装置を移動先に決定する。
【００３２】
管理装置１０は、貨幣補充時の貨幣の移動元及び貨幣回収時の貨幣の移動先を、予め設定された各貨幣処理装置の優先度に基づいて選択することができる。優先度は、例えば、貨幣処理システム１の管理者が設定する。管理者は、貨幣処理装置毎に、優先度を設定することができる。例えば、第１貨幣処理装置１１に貨幣を補充する移動元の選択時には第２貨幣処理装置１２の優先度を最も高くして、第４貨幣処理装置１４に貨幣を補充する移動元の選択時には第３貨幣処理装置１３の優先度を最も高くすることができる。管理者は、移動元を選択する場合と、移動先を選択する場合とで、優先度を変更することもできる。例えば、第１貨幣処理装置１１に補充する貨幣の移動元の選択時には第２貨幣処理装置１２の優先度を最も高くして、第１貨幣処理装置１１から回収した貨幣の移動先の選択時には第３貨幣処理装置１３の優先度を最も高くすることができる。
【００３３】
管理装置１０は、貨幣補充時の貨幣の移動元及び貨幣回収時の貨幣の移動先を、予め選択肢として設定された貨幣処理装置の中から選択することができる。管理者は、貨幣移動時の選択肢から除外する貨幣処理装置、又は、選択肢とする貨幣処理装置を設定する。管理者は、貨幣処理装置毎に、選択肢とする装置を設定することができる。管理者は、移動元を選択する場合と、移動先を選択する場合とで、選択肢とする装置を変更することもできる。例えば、第１貨幣処理装置１１に補充する貨幣の移動元の選択時には第３貨幣処理装置１３を選択肢から除外して、第１貨幣処理装置１１から貨幣を回収する移動先の選択時には第４貨幣処理装置１４を選択肢から除外することができる。
【００３４】
管理装置１０は、貨幣補充時の貨幣の移動元及び貨幣回収時の貨幣の移動先を、現在の在高、過去の在高の変化、優先度の設定、選択肢の設定のうち、いずれか１つ又は複数に基づいて選択する。管理装置１０による装置の選択方法は、貨幣処理システム１の管理者が設定により変更することができる。設定に基づいて貨幣処理装置を選択する際に、複数の装置が候補となった場合、管理装置１０は、例えば、貨幣移動時の移動距離が最短となるように装置を選択する。管理装置１０は、一又は複数の移動元の貨幣処理装置と、一又は複数の移動先の貨幣処理装置との間で貨幣を移動するように、貨幣の移動方法を決定することができるが詳細は後述する。
【００３５】
次に、店舗で利用する具体的な貨幣処理装置を例に貨幣処理システム１について説明する。貨幣処理システム１に含まれる貨幣処理装置の種類は特に限定されないが、以下、両替機、釣銭機及び入出金機を例に挙げて説明する。
【００３６】
図２は、店舗３内に設置された貨幣処理システム１の構成概略を示す図である。貨幣処理システム１は、管理装置１０と、複数の両替機２０（２０ａ〜２０ｃ）と、複数の釣銭機３０（３０ａ〜３０ｃ）と、入出金機４０とを含む。管理装置１０は、ネットワーク２を介して、両替機２０、釣銭機３０及び入出金機４０と通信可能に接続されている。
【００３７】
管理装置１０及び入出金機４０は、店舗３のバックオフィスに設置されている。３台の釣銭機３０は、客が購入した商品の精算処理が行われるチェックアウトカウンターに設置されている。チェックアウトカウンターには、ＰＯＳレジスタが複数台設置されている。１台のＰＯＳレジスタに１台の釣銭機３０が接続されている。３台の両替機２０の設置場所は特に限定されない。例えば、１台の両替機２０ａは店舗３の入口に設置され、他の２台の両替機２０ｂ、２０ｃはそれぞれ入口から離れた別の場所に設置される。
【００３８】
図３は、管理装置１０の構成を示すブロック図である。管理装置１０は、制御部５０、記憶部６０、操作部７０、表示部８０及び通信部９０を含むコンピュータ装置から成る。操作部７０は貨幣処理システム１の設定や動作に係る情報を入力するために利用される。表示部８０は貨幣処理システム１の設定や動作に係る情報を表示するために利用される。通信部９０は、ネットワーク２を介して、両替機２０、釣銭機３０及び入出金機４０と情報を送受信する。
【００３９】
記憶部６０は不揮発性の記憶装置である。記憶部６０には、在高情報６１及び設定情報６２が保存されている。在高情報６１は、両替機２０、釣銭機３０及び入出金機４０の在高の情報を含む。具体的には、各装置の現在の在高と各装置の過去の在高とが含まれる。設定情報６２は、管理装置１０が貨幣の移動方法を決定するために必要な情報を含む。具体的には、貨幣の不足及び余剰を判定するための条件と、移動元及び移動先を選択するための条件と、貨幣移動時の店員の移動経路を決定するために必要な情報とが含まれる。制御部５０が、記憶部６０に保存された各種情報を参照しながら各部を制御することにより、以下に説明する管理装置１０の機能及び動作が実現されている。
【００４０】
次に、図４及び図５を参照しながら釣銭機３０について説明する。図４は、釣銭機３０及びＰＯＳレジスタ１００の外観図である。釣銭機３０は、紙幣処理部１３０及び硬貨処理部２３０を含む。紙幣処理部１３０は、紙幣を入金するための入金口１１０と、紙幣を出金するための出金口１２０とを備える。紙幣処理部１３０は、前面にカバー１４０を有する。カバー１４０を開いて、カセット１７０（図５（ａ）参照）が着脱される。硬貨処理部２３０は、硬貨を入金するための入金口２１０と、硬貨を出金するための出金口２２０とを備える。硬貨処理部２３０は、前面にカバー２４０を有する。カバー１４０を開いて、カセット２７０（図５（ｂ）参照）が着脱される。
【００４１】
ＰＯＳレジスタ１００と釣銭機３０は通信可能に接続されている。精算時、釣銭機３０は、客が商品代金を支払うために投入した貨幣の入金処理を実行し、投入貨幣を識別計数して得られた合計金額をＰＯＳレジスタ１００に入力する。ＰＯＳレジスタ１００は、客が購入する商品の合計金額を算出して、釣銭機３０から入力された入金金額と比較し、必要に応じて釣銭機３０に釣銭の出金を指示する。釣銭出金の指示を受けた釣銭機３０は、釣銭を出金する出金処理を実行する。
【００４２】
図５は、紙幣処理部１３０及び硬貨処理部２３０の内部構成概略を示す模式図である。図５（ａ）が紙幣処理部１３０を示し、図５（ｂ）が硬貨処理部２３０を示している。精算時に客が支払う貨幣のうち、紙幣は紙幣処理部１３０に入金され、硬貨は硬貨処理部２３０に入金される。精算時に客に返す釣銭のうち、紙幣は紙幣処理部１３０から出金され、硬貨は硬貨処理部２３０から出金される。
【００４３】
図５（ａ）に示す紙幣処理部１３０は紙幣の入金処理及び出金処理を行う。紙幣の出金処理時には、収納部１７１（１７１ａ〜１７１ｃ）から１枚ずつ紙幣が繰り出される。繰り出された紙幣は、搬送部１６０によって、搬送路に沿って搬送され、出金口１２０から排出される。各収納部１７１ａ〜１７１ｃに収納する紙幣の金種は予め設定されている。釣銭機３０は、各収納部１７１ａ〜１７１ｃに収納中の紙幣の金種及び枚数を管理している。これにより、釣銭機３０は、必要な金種の紙幣を必要な枚数だけ出金口１２０から出金することができる。
【００４４】
紙幣の入金処理時には、入金口１１０に受けた紙幣が１枚ずつ装置内に繰り出される。繰り出された紙幣は、搬送部１６０によって、搬送路に沿って搬送される。識別部１５０は、搬送される紙幣を識別計数する。識別部１５０は、例えば、紙幣の金種、真偽、正損を識別する。識別結果に基づいて、入金できない紙幣はリジェクト紙幣として出金口１２０から返却され、入金可能な紙幣は複数の収納部１７１ａ〜１７１ｃに金種別に収納される。
【００４５】
釣銭機３０への紙幣の補充及び釣銭機３０からの紙幣の回収は、カセット１７０を利用して行うことができる。カセット１７０は紙幣処理部１３０に対して着脱可能に設けられている。釣銭機３０から紙幣を回収する際、回収する紙幣が収納部１７１から繰り出されてカセット１７０に収納される。店員は、紙幣が収納されたカセット１７０を、紙幣処理部１３０から取り外して紙幣を回収する。釣銭機３０に紙幣を補充する際、店員は、補充する紙幣が収納されたカセット１７０を紙幣処理部１３０に取り付ける。カセット１７０から繰り出された紙幣が識別部１５０で識別され、金種に応じて収納部１７１ａ〜１７１ｃのいずれかに収納される。
【００４６】
紙幣の補充及び回収は、入金口１１０及び出金口１２０を利用して行うこともできる。具体的には、店員は、収納部１７１から繰り出した紙幣を出金口１２０に排出させることにより紙幣を回収する。店員は、入金口１１０の紙幣を、装置内の識別部１５０で識別させて、金種に応じて収納部１７１ａ〜１７１ｃのいずれかに収納させることにより紙幣を補充する。
【００４７】
他の装置から回収した紙幣を釣銭機３０へ収納する処理は、紙幣を補充する処理と同様に行われる。他の装置へ補充する紙幣を釣銭機３０から取り出す処理は、紙幣を回収する処理と同様に行われる。
【００４８】
カセット１７０を利用して他の装置から移動してきた紙幣が釣銭機３０に補充される際、カセット１７０内の紙幣の中に、補充対象外の紙幣が混在する場合がある。同様に、店員が入金口１１０から釣銭機３０に紙幣を補充する際、入金口１１０の紙幣の中に補充対象外の紙幣が混在する場合がある。このような場合、補充する紙幣は収納部１７１に収納されるが、他の紙幣は出金口１２０に排出される。
【００４９】
カセット１７０を利用して他の装置から回収してきた紙幣が釣銭機３０に収納される際にも、カセット１７０内の紙幣の中に、収納対象外の紙幣が混在する場合がある。店員が他の装置から回収してきた紙幣を入金口１１０から釣銭機３０に収納する際にも、入金口１１０の紙幣の中に収納対象外の紙幣が混在する場合がある。この場合も、収納対象の紙幣のみが収納部１７１に収納され、他の紙幣は出金口１２０に排出される。
【００５０】
管理装置１０は、貨幣の移動方法を決定する際、移動先の釣銭機３０で排出される紙幣があるか否かを判定する。排出される紙幣があれば、管理装置１０は、排出される紙幣の処理方法を含めて、貨幣の移動方法を決定する。例えば、管理装置１０は、第１釣銭機３９ａに紙幣を移動した際、第１釣銭機３０ａの出金口１２０に排出された紙幣を、第２釣銭機３０ｂの入金口１１０から第２釣銭機３０ｂ内に収納すると決定する。また、例えば、管理装置１０は、出金口１２０の排出紙幣を、第１釣銭機３０ａの入金口１１０からカセット１７０に収納し、第１釣銭機３０ａから取り外されて第２釣銭機３０ｂへ装着された該カセット１７０から繰り出して第２釣銭機３０ｂ内に収納すると決定する。
【００５１】
図５（ｂ）に示す硬貨処理部２３０は硬貨の入金処理及び出金処理を行う。硬貨の出金処理時には、収納部２７１（２７１ａ〜２７１ｈ）から１枚ずつ硬貨が繰り出される。収納部２７１の下方にある出金搬送部２６２が、収納部２７１から繰り出された硬貨を受けて上方の繰出部２８０へ搬送する。繰出部２８０が底部を開くことにより硬貨が落下して、出金口２２０に硬貨が排出される。各収納部２７１ａ〜２７１ｈに収納する硬貨の金種は予め設定されている。釣銭機３０は、各収納部２７１ａ〜２７１ｈに収納中の硬貨の金種及び枚数を管理している。これにより、釣銭機３０は、必要な金種の硬貨を必要な枚数だけ出金口２２０から出金することができる。
【００５２】
硬貨の入金処理時には、入金口２１０に受けた硬貨が、装置内の繰出部２８０に落下し、繰出部２８０から１枚ずつ繰り出される。繰り出された硬貨は、入金搬送部２６０によって、搬送路に沿って搬送される。識別部２５０は、搬送される硬貨を識別計数する。識別部２５０は、例えば、硬貨の金種、真偽、正損を識別する。識別部２５０より下流の搬送路には、複数のシュート２６１が設けられている。各シュート２６１は、出金口２２０、カセット２７０、収納部２７１ａ〜２７１ｈ、回収部２７２のいずれか１つと接続されている。シュート２６１は通常閉じられている。硬貨の識別結果に基づいて対応するシュート２６１が開くと、硬貨はシュート２６１内へ落下し、出金口２２０、カセット２７０、収納部２７１ａ〜２７１ｈ、回収部２７２のいずれかに収納される。入金できない硬貨は、シュート２６１から落下せずに搬送を続けられ、リジェクト硬貨として、出金口１２０から返却される。入金可能な硬貨は、複数の収納部２７１ａ〜２７１ｈに金種別に収納される。回収部２７２は、例えば収納部２７１が満杯になった場合に、収納部２７１に収納できない硬貨を収納するために利用される。繰出部２８０及び収納部２７１は、傾斜した状態で回転する回転円盤を有し、回転円盤表面の外側領域にある複数の突起部材によって硬貨を１枚ずつ拾い上げて繰り出す。
【００５３】
釣銭機３０への硬貨の補充及び釣銭機３０からの硬貨の回収は、カセット２７０を利用して行うことができる。カセット２７０は硬貨処理部２３０に対して着脱可能に設けられている。釣銭機３０から硬貨を回収する際、回収する硬貨が収納部２７１から繰り出される。出金搬送部２６２は、収納部２７１から繰り出された硬貨を受けて上方のカセット２７０へ搬送して収納する。店員は、硬貨が収納されたカセット２７０を取り外して硬貨を回収する。釣銭機３０に硬貨を補充する際、店員は、補充する硬貨が収納されたカセット２７０を硬貨処理部２３０に取り付ける。カセット２７０から繰り出された硬貨は、出金搬送部２６２によって繰出部２８０へ搬送される。硬貨は、繰出部２８０から繰り出されて識別部２５０で識別され、金種に応じて収納部２７１ａ〜２７１ｈのいずれかに収納される。
【００５４】
硬貨の補充及び回収は、入金口２１０及び出金口２２０を利用して行うこともできる。具体的には、店員は、収納部２７１から繰り出した硬貨を出金口２２０から排出させることにより硬貨を回収する。店員は、入金口２１０の硬貨を、装置内の識別部２５０で識別させて、金種に応じて収納部１７１ａ〜１７１ｃのいずれかに収納させることにより硬貨を補充する。
【００５５】
他の装置から回収した硬貨を釣銭機３０へ収納する処理は、硬貨を補充する処理と同様に行われる。他の装置へ補充する硬貨を釣銭機３０から取り出す処理は、硬貨を回収する処理と同様に行われる。
【００５６】
硬貨を補充する処理、回収した硬貨を収納する処理を行う際も、紙幣と同様に、一部の硬貨が出金口２２０に排出される場合がある。管理装置１０は、貨幣の移動方法を決定する際に、移動先の釣銭機３０で硬貨が排出されることを認識すると、排出される硬貨の処理方法を含めて、貨幣の移動方法を決定する。例えば、管理装置１０は、第１釣銭機３０ａに硬貨を移動した際、第１釣銭機３０ａの出金口２２０に排出された硬貨を、第２釣銭機３０ｂの入金口２１０から第２釣銭機３０ｂ内に収納すると決定する。また、例えば、管理装置１０は、出金口２２０の排出硬貨を、第１釣銭機３０ａの入金口２１０からカセット２７０に収納し、第１釣銭機３０ａから取り外されて第２釣銭機３０ｂへ装着された該カセット２７０から繰り出して第２釣銭機３０ｂ内に収納すると決定する。
【００５７】
次に、図６〜図８を参照しながら入出金機４０について説明する。図６は、入出金機４０の外観図である。入出金機４０は、貨幣の入金処理及び出金処理を行う。入出金機４０は、紙幣処理部３４０及び硬貨処理部４４０を含む。紙幣処理部３４０の上面にターミナル装置３００が設けられている。ターミナル装置３００は、タッチパネル式の液晶表示部を備えるコンピュータ装置から成る。店員は、ターミナル装置３００を操作して入金処理及び出金処理を行う。
【００５８】
紙幣処理部３４０は、紙幣を入金するための入金部３１０と、入金紙幣に含まれるリジェクト紙幣を返却するためのリジェクト口３８０と、紙幣を出金するための出金口３２０とを備える。硬貨処理部４４０は、硬貨を入金するための入金口４１０と、硬貨を出金するための出金部４２０とを備える。硬貨処理部４４０は前面にカバー４３０を有する。カバー４３０を開いて、リジェクト部４７２（図８参照）が前面側に引き出される。
【００５９】
図７は、紙幣処理部３４０の内部構成概略を示す模式図である。紙幣処理部３４０は紙幣の入金処理及び出金処理を行う。紙幣の出金処理時には、収納部３７１（３７１ａ〜３７１ｅ）から１枚ずつ紙幣が繰り出され、搬送部３６０によって搬送路に沿って搬送されて出金口３２０に排出される。各収納部３７１ａ〜３７１ｅに収納する紙幣の金種は予め設定されている。入出金機４０は、各収納部３７１ａ〜３７１ｅに収納中の紙幣の金種及び枚数を管理している。これにより、入出金機４０は、必要な金種の紙幣を必要な枚数だけ出金口３２０から出金することができる。
【００６０】
紙幣の入金処理時には、入金部３１０の入金口に受けた紙幣が１枚ずつ装置内に繰り出される。繰り出された紙幣は、搬送部３６０によって、搬送路に沿って搬送される。識別部３５０は、搬送される紙幣を識別計数する。識別部３５０は、例えば、紙幣の金種、真偽、正損を識別する。識別結果に基づいて、入金できない紙幣はリジェクト紙幣としてリジェクト口３８０から返却され、入金可能な紙幣は複数の収納部３７１ａ〜３７１ｅに金種別に収納される。
【００６１】
入出金機４０への紙幣の補充及び入出金機４０からの紙幣の回収は、カセット１７０を利用して行うことができる。入金部３１０は紙幣処理部３４０に対して着脱可能に設けられている。入金部３１０が装着される装着部には、釣銭機３０の紙幣処理部１３０で利用するカセット１７０を着脱できるようになっている。入出金機４０から紙幣を回収する際、店員は、紙幣処理部３４０から入金部３１０を取り外して、代わりにカセット１７０を取り付ける。回収する紙幣は、収納部３７１から繰り出されてカセット１７０に収納される。店員は、紙幣が収納されたカセット１７０を紙幣処理部３４０から取り外して紙幣を回収する。入出金機４０に紙幣を補充する際、店員は、紙幣処理部３４０から入金部３１０を取り外して、補充する紙幣が収納されたカセット１７０を取り付ける。カセット１７０から繰り出された紙幣が識別部２５０で識別され、金種に応じて収納部３７１ａ〜３７１ｅのいずれかに収納される。
【００６２】
紙幣の補充及び回収は、入金部３１０及び出金口３２０を利用して行うこともできる。具体的には、店員は、収納部３７１から繰り出した紙幣を出金口３２０から排出させることにより紙幣を回収する。店員は、入金部３１０の紙幣を、装置内の識別部１５０で識別させて、金種に応じて収納部１７１ａ〜１７１ｃのいずれかに収納させることにより紙幣を補充する。
【００６３】
他の装置から回収した紙幣を入出金機４０へ収納する処理は、紙幣を補充する処理と同様に行われる。他の装置へ補充する紙幣を入出金機４０から取り出す処理は、紙幣を回収する処理と同様に行われる。
【００６４】
図８は、硬貨処理部４４０の内部構成概略を示す模式図である。硬貨処理部４４０は硬貨の入金処理及び出金処理を行う。図８（ａ）は、入出金機４０の右側から（Ｘ軸正方向側から）見た硬貨処理部４４０を示し、図８（ｂ）は前面から見た硬貨処理部４４０の下側一部を示している。
【００６５】
硬貨の入金処理時には、図８（ａ）に示す入金口４１０に受けた硬貨が装置内の繰出部４８０に落下し、繰出部４８０から１枚ずつ繰り出される。繰り出された硬貨は、搬送部４６０によって、搬送路に沿って搬送される。識別部４５０は、搬送される硬貨を識別計数する。識別部４５０は、例えば、硬貨の金種、真偽、正損を識別する。識別部４５０より下流の搬送路には、複数のシュート４６１が設けられている。各シュート４６１は、リジェクト部４７２、一時保留部４７１（４７１ａ〜４７１ｈ）のいずれか１つと接続されている。シュート４６１は通常閉じられている。硬貨の識別結果に基づいて対応するシュート４６１が開くと、硬貨はシュート４６１内へ落下し、リジェクト部４７２、一時保留部４７１ａ〜４７１ｈのいずれかに収納される。入金できない硬貨は、リジェクト硬貨として、リジェクト部４７２に収納される。入金可能な硬貨は、一時保留部４７１に金種別に収納される。繰出部４８０及び収納部４７３は、傾斜した状態で回転する回転円盤を有し、回転円盤表面の外側領域にある複数の突起部材によって硬貨を１枚ずつ拾い上げて繰り出す。
【００６６】
硬貨処理部４４０は、８つの一時保留部４７１ａ〜４７１ｈと、各一時保留部４７１ａ〜４７１ｈに対応して設けられた８つの収納部４７３ａ〜４７３ｈとを有している。４つの収納部４７３ａ〜４７３ｄと、４つの収納部４７３ｅ〜４７３ｈとが装置左右方向（Ｘ軸方向）に分かれて、各列４つが装置前後方向（Ｙ軸方向）に一列に配設されている。一時保留部４７１ａ〜４７１ｈは、それぞれが収納部４７３ａ〜４７３ｈに対応して上方に設けられている。搬送部４６０のシュート４６１は、各一時保留部４７１ａ〜４７１ｈに対応する８つのシュート４６１ａ〜４６１ｈを含む。
【００６７】
一時保留部４７１の下方にリジェクト部４７２が設けられている。図８（ｂ）に示す状態で一時保留部４７１の底面が開くと、落下した硬貨はリジェクト部４７２に収納される。リジェクト部４７２は、全ての一時保留部４７１ａ〜４７１ｈから落下した硬貨を受けるように配置されている。リジェクト部４７２の硬貨は、図６に示したカバー４３０を開いてリジェクト部４７２を手前に引き出すことにより装置外へ取り出すことができる。
【００６８】
一時保留部４７１ａ〜４７１ｈは、図８（ｂ）に矢印で示すように左右方向に移動可能に設けられている。一時保留部４７１ａ〜４７１ｈが装置左右外側方向へ移動した位置、すなわち図８（ｂ）に破線で示す位置に、収納部４７３ａ〜４７３ｈにつながる８つのシュート４６２（４６２ａ〜４６２ｈ）が設けられている。破線で示す位置で一時保留部４７１の底面が開くと、落下した硬貨はシュート４６２を経て収納部４７３に収納される。これにより、各一時保留部４７１ａ〜４７１ｈの硬貨を、対応する収納部４７３ａ〜４７３ｈに収納することができる。
【００６９】
出金部４２０は装置前面側から引き出すことができる。引き出した出金部４２０に対して、釣銭機３０の硬貨処理部２３０で利用するカセット２７０を着脱することができる。硬貨の出金処理時には、収納部４７３から１枚ずつ硬貨が繰り出され、各収納部４７３ａ〜４７３ｈに対応して設けられたシュート４６３ａ〜４６３ｈを経て、出金部４２０に装着されたカセット２７０に収納される。各収納部４７３ａ〜４７３ｈに収納する硬貨の金種は予め設定されている。入出金機４０は、各収納部４７３ａ〜４７３ｈに収納中の硬貨の金種及び枚数を管理している。これにより、入出金機４０は、必要な金種の硬貨を必要な枚数だけカセット２７０内に出金することができる。店員は、出金部４２０を装置外へ引き出して、貨幣が収納されたカセット２７０を取り外し、釣銭機３０への補充に利用することができる。
【００７０】
入出金機４０からの硬貨の回収は、出金部４２０のカセット２７０に硬貨を収納することによって行う。店員は、収納部４７３から繰り出した硬貨を、シュート４６３を経て、カセット２７０に収納させることにより硬貨を回収する。
【００７１】
入出金機４０への硬貨の補充は入金口２１０を利用して行う。店員は、入金口４１０の硬貨を、識別部４５０で識別させて、金種に応じて収納部４７３ａ〜４７３ｈのいずれかに収納させることにより硬貨を補充する。
【００７２】
他の装置から回収した硬貨を入出金機４０へ収納する処理は、硬貨を補充する処理と同様に行われる。他の装置へ補充する硬貨を入出金機４０から取り出す処理は、硬貨を回収する処理と同様に行われる。
【００７３】
次に、図９及び図１０を参照しながら両替機２０について説明する。貨幣の入金を受け付けて、入金金額分を、入金貨幣と異なる金種の貨幣で出金する入出金装置を両替機２０として利用することができるが、以下、両替機２０が入金のみを受け付ける入金装置である例を説明する。また、両替対象の貨幣は特に限定されないが、以下、両替機２０が硬貨の入金のみを受け付ける例を説明する。
【００７４】
両替機２０は、例えば硬貨を紙幣に両替したい客から硬貨を受け付けて、入金処理を実行する。両替機２０は、図示しないプリンタを利用して、入金処理で得られた硬貨の識別計数結果をレシートに印刷する。客は、両替機２０で発行されたレシートを持って店舗３のサービスカウンターに移動して両替後の紙幣を受け取ることができる。
【００７５】
図９は、両替機２０の内部構成概略を示す模式図である。両替機２０は、入金口５１０に硬貨を受け付ける。入金口５１０の硬貨は繰出部５３０に落下する。繰出部５３０は硬貨を１枚ずつ繰り出して識別部５５０へ送る。識別部５５０は、受けた硬貨を識別計数する。識別部２５０は、例えば、硬貨の金種、真偽、正損を識別する。識別された硬貨はシュート５６２を経て一時保留部５７１に収納される。一時保留部５７１は、図９に矢印で示すように装置の前方向（Ｙ軸負方向）及び後方向（Ｙ軸正方向）に移動可能に設けられている。一時保留部５７１は底面が開放されている。
【００７６】
一時保留部５７１が前方に移動すると、一時保留部５７１内の硬貨はカセット２７０に収納される。両替機２０の前面には図示しない扉が設けられている。この扉を開いて、カセット２７０が着脱される。
【００７７】
両替機２０の内部には２つの収納部５７３（５７３ａ、５７３ｂ）が設けられている。後方に移動した一時保留部５７１と収納部５７３との間に、切換部材５４１が設けられている。切換部材５４１は矢印で示すように前後方向に移動可能に設けられている。一時保留部５７１を後方に移動した際に、図９に実線で示すように切換部材５４１が前方の位置にあれば、一時保留部５７１内の硬貨は収納部５７３ｂに収納される。図９に破線で示すように切換部材５４１が後方の位置にあれば、一時保留部５７１内の硬貨は収納部５７３ａに収納される。
【００７８】
識別部５５０で識別計数された硬貨の金種及び枚数に応じて、切換部材５４１の位置及び一時保留部５７１の移動方向を制御することにより、カセット２７０、収納部５７３ａ、収納部５７３ｂのいずれかに硬貨を収納することができる。店員は、硬貨が収納されたカセット２７０を両替機２０から取り外して、釣銭機３０又は入出金機４０への硬貨の補充に利用することができる。
【００７９】
管理装置１０は、釣銭機３０の在高の変化から、釣銭機３０で不足する可能性がある金種を予測する。管理装置１０は、この金種の情報を両替機２０に通知する。入金処理時に、この金種の硬貨が、一時保留部５７１に収納された硬貨の中に含まれていた場合、両替機２０は、一時保留部５７１の硬貨をカセット２７０に収納する。一方、通知された金種の硬貨が、一時保留部５７１に収納された硬貨の中に含まれていない場合には、一時保留部５７１の硬貨を収納部５７３に収納する。これにより、釣銭機３０で硬貨の補充が必要となった際に、カセット２７０内の硬貨を釣銭機３０に補充することができる。
【００８０】
硬貨を、カセット２７０と収納部５７３のいずれに収納するかについては、硬貨枚数に基づいて判定する設定とすることもできる。例えば、一時保留部５７１に、管理装置１０から通知された金種の硬貨が１０枚以上含まれる場合にカセット２７０に収納し、それ以外の場合は収納部５７３に収納するよう設定することができる。また、硬貨枚数の割合に基づいて判定する設定とすることもできる。例えば、一時保留部５７１に収納された硬貨のうち５０％以上が、管理装置１０から通知された金種である場合にカセット２７０に収納し、それ以外の場合は収納部５７３に収納するよう設定することができる。硬貨枚数と硬貨枚数の割合との両方に基づいて判定する設定とすることもできる。
【００８１】
図１０は、両替機２０の別の例を示す模式図である。図１０に示す両替機２０は、図８に示す入出金機４０と同様の構成を含む。具体的には、図８に示す構成からシュート４６３ 及び収納部４７３を除いて、出金部４２０を、一時保留部４７１に対応する複数のカセット２７０（２７０ａ〜２７０ｈ）を着脱可能な構成とする。さらに、各カセット２７０ａ〜２７０ｈと各一時保留部４７１ａ〜４７１ｈとを接続するシュート６００（６００ａ〜６００ｈ）を設けることにより、図１０に示す両替機２０が実現される。このため、図１０に示す両替機２０については、図８と同じ構成部には図８と同じ符号を付して説明を省略する。
【００８２】
図１０に示す両替機２０は、客が両替のために入金した硬貨を複数の一時保留部４７１に金種別に収納することにより、複数のカセット２７０に硬貨を金種別に収納することができる。両替機２０は、カセット２７０に収納された硬貨枚数が所定枚数に到達した後は、硬貨をリジェクト部４７２に収納することにより、各カセット２７０ａ〜２７０ｈに所定枚数の硬貨を収納することができる。すなわち、両替機２０は、各カセット２７０ａ〜２７０ｈに、予め設定した金種の硬貨を予め設定した枚数だけ収納することができる。
【００８３】
例えば、両替機２０は、各カセット２７０ａ〜２７０ｈに硬貨を金種別に収納する。両替機２０は、各釣銭機３０ａ〜３０ｃへの補充が必要な硬貨を別々のカセット２７０に収納することもできる。具体的には、管理装置１０が、各釣銭機３０ａ〜３０ｃの在高を監視して、各釣銭機３０ａ〜３０ｃに収納可能な硬貨の金種及び枚数を両替機２０に通知する。両替機２０は通知された金種の硬貨を通知された枚数だけカセット２７０に収納する。
【００８４】
例えば、管理装置１０が、第１釣銭機３０ａ用に５００円硬貨１０枚、１００円硬貨２０枚を準備するよう両替機２０に通知する。通知を受けた両替機２０は、カセット２７０ａを第１釣銭機３０ａに割り当てて、硬貨が入金される度に５００円硬貨及び１００円硬貨をカセット２７０ａに収納する。他金種の硬貨は、他のカセット２７０ｂ〜２７０ｈ又はリジェクト部４７２に収納される。両替機２０は、カセット２７０ａに収納した５００円硬貨が１０枚に達すると、それ以上はカセット２７０ａに５００円硬貨を収納せず、他のカセット２７０ｂ〜２７０ｈ又はリジェクト部４７２に収納する。同様に、１００円硬貨が２０枚に達すると、それ以上はカセット２７０ａに１００円硬貨を収納せず、他のカセット２７０ｂ〜２７０ｈ又はリジェクト部４７２に収納する。このように、図１０に示す両替機２０は、複数のカセット２７０に、硬貨を金種別に管理装置１０から指示された枚数だけ収納することができる。同様に、第２釣銭機３０ｂ用の硬貨をカセット２７０ｂに収納して、第３釣銭機３０ｃ用の硬貨をカセット２７０ｃに収納することができる。これにより、各釣銭機３０ａ〜３０ｃへの硬貨を補充する際、店員は、両替機２０から対応するカセット２７０ａ〜２７０ｃを取り外して釣銭機３０ａ〜３０ｃに装着するだけでよい。
【００８５】
次に、管理装置１０が貨幣の移動方法を決定する処理について説明する。図２に示す貨幣処理システム１は、複数の両替機２０、複数の釣銭機３０及び入出金機４０の間で、貨幣を移動することができる。管理装置１０は、一又は複数の装置を移動元、一又は複数の装置を移動先として貨幣の移動方法を決定するが、以下、硬貨が不足した第１釣銭機３０ａに硬貨を補充する場合を例に、管理装置１０の動作を説明する。
【００８６】
図１１は、貨幣処理装置で硬貨の不足を検知して硬貨の移動方法を決定する際の処理の流れを示すフローチャートである。管理装置１０は、両替機２０、釣銭機３０及び入出金機４０の在高を管理している。管理装置１０は、各装置に収納されている各金種の貨幣枚数が予め設定された枚数以下となっていないか、すなわち貨幣の不足が発生していないかを監視している（ステップＳ１；Ｎｏ）。管理装置１０は、第１釣銭機３０ａで硬貨の不足を検知すると（ステップＳ１；Ｙｅｓ）、不足した硬貨を第１釣銭機３０ａに補充するための硬貨の移動方法を決定する。
【００８７】
管理装置１０は、第１釣銭機３０ａに補充する硬貨の金種及び枚数を決定する。例えば、第１釣銭機３０ａで５００円硬貨が不足して、管理装置１０が、補充する硬貨を５００円硬貨２０枚と決定したとする。続いて管理装置１０は、硬貨の移動元となる装置を決定する（ステップＳ２）。管理装置１０は、各装置の現在の在高、各装置の過去の在高の変化、優先度の設定、選択肢の設定の少なくともいずれか１つに基づいて、貨幣の移動元を決定する。
【００８８】
例えば、チェックアウトカウンターで精算処理を続けられるように釣銭機３０の優先度が低く設定され、出金処理を行わず入金処理のみが行われる両替機２０の優先度が高く設定されているとする。管理装置１０は、優先度が高い３台の両替機２０ａ〜２０ｃについて現在の在高を確認する。第１釣銭機３０ａに補充する５００円硬貨を最も多く収納している両替機２０が、第２両替機２０ｂであった場合、管理装置１０は、第２両替機２０ｂを移動元に決定する。
【００８９】
例えば、第１両替機２０ａ及び第２両替機２０ｂが５００円硬貨を同数収納している場合、管理装置１０は、過去の在高の変化を確認する。例えば、当日、第１両替機２０ａに比べて第２両替機２０ｂの方に５００円硬貨が多く入金されている場合、管理装置１０は、第２両替機２０ｂを移動元に決定する。
【００９０】
第１釣銭機３０ａに補充する５００円硬貨２０枚全てを、第２両替機２０ｂから移動できる場合（ステップＳ３；Ｎｏ）、続いて管理装置１０は、第１釣銭機３０ａに硬貨を補充する際に、第１釣銭機３０ａで硬貨が排出される可能性があるか否かを判定する（ステップＳ５）。
【００９１】
例えば、第２両替機２０ｂが図９に示す構成を有し、カセット２７０内に、２０枚を超える５００円硬貨と、１００円硬貨とが混在しているものとする。このカセット２７０を第１釣銭機３０ａに取り付けて硬貨を補充する際、５００円硬貨２０枚を繰り出す間に、１００円硬貨が繰り出される可能性がある。１００円硬貨は補充対象外の硬貨であるため、第１釣銭機３０ａの出金口２２０に排出されることになる。このため、管理装置１０は、硬貨補充時に、第１釣銭機３０から排出される硬貨があると判定する（ステップＳ５；Ｙｅｓ）。
【００９２】
移動先の装置で排出される硬貨があると判定した管理装置１０は、排出硬貨の処理方法を決定する（ステップＳ６）。例えば、カセット２７０内に５００円硬貨３０枚と１００円硬貨１０枚が収納されている場合、５００円硬貨２０枚を繰り出して第１釣銭機３０ａに補充する間に、１００円硬貨１０枚が第１釣銭機３０ａから排出される可能性がある。管理装置１０は、第１釣銭機３０ａの１００円硬貨の在高を確認する。第１釣銭機３０ａに１００円硬貨１０枚を収納しても問題ない場合、管理装置１０は、１００円硬貨を第１釣銭機３０ａに収納すると決定する。一方、１００円硬貨１０枚全て又は一部を第１釣銭機３０ａに収納できない場合、管理装置１０は、これを他の装置に収納できるか否かを確認する。例えば、管理装置１０は、第１釣銭機３０ａに近い装置から順に在高を確認する。第１釣銭機３０ａで排出された１００円硬貨を第２釣銭機３０ｂに収納できる場合、管理装置１０は、第２釣銭機３０ｂに１００円硬貨を収納すると決定する。
【００９３】
補充硬貨の移動元と、排出硬貨の処理方法とを決定した管理装置１０は、硬貨の移動方法を店員に案内して（ステップＳ７）、移動方法の決定処理を終了する。店員への案内は、管理装置１０の表示部によって行われる。
【００９４】
図１２は、硬貨の移動方法を案内する画面例を示す図である。図１２は、管理装置１０が、第２両替機２０ｂから第１釣銭機３０ａに硬貨を移動し、第１釣銭機３０ａで硬貨が排出された場合は、これを第２釣銭機３０ｂへ収納すると決定した場合の例を示している。
【００９５】
図１２に示すように、第２両替機２０ｂから取り外したカセット２７０を第１釣銭機３０ａに取り付けて硬貨を補充することが店員に通知される。この際、第１釣銭機３０ａで硬貨が排出される可能性があることが店員に通知される。硬貨が排出された場合には、これを第２釣銭機３０ｂに収納することも店員に通知される。
【００９６】
画面上には、店舗３の平面図が表示され、バックオフィスの管理装置１０で通知を確認した店員の移動経路が矢印で表示される。図１２に示す例では、丸で囲まれた１〜３の数字は、チェックアウトカウンターの第１釣銭機３０ａ〜第３釣銭機３０ｃを示している。矩形で囲まれた１〜３の数字は、第１両替機２０ａ〜第３両替機２０ｃを示している。
【００９７】
店員は、管理装置１０の画面に表示された移動経路に従って移動する。店員は、第２両替機２０ｂからカセット２７０を取り外し、カセット２７０を持って第１釣銭機３０ａの設置場所へ移動する。店員は、第１釣銭機３０ａにカセット２７０を取り付けて硬貨を補充する。このとき、第１釣銭機３０ａの出金口２２０に排出された硬貨があれば、店員は、これを第２釣銭機３０ｂの入金口２１０から、第２釣銭機３０ｂに補充する。
【００９８】
例えば、管理装置１０が、第１釣銭機３０に硬貨を補充する間にカセット２７０から補充対象外の硬貨が繰り出されたら第１釣銭機３０ａ内の収納部２７１に収納すると決定していた場合、図１２に示す画面で、排出硬貨はないことが店員に通知される。この場合、カセット２７０から補充対象外の硬貨が繰り出されると、出金口２２０には排出されず、対応する収納部２７１に収納される。
【００９９】
図１１のステップＳ２で決定した貨幣の移動元が複数であった場合（ステップＳ３；Ｙｅｓ）、管理装置１０は、店員の移動距離が最短となるように移動経路を決定する（ステップＳ４）。例えば、第１釣銭機３０ａに硬貨を補充するため、第１両替機２０ａ及び第２両替機２０ｂから貨幣を移動する必要ある場合、先に第１両替機２０ａでカセット２７０を取り外してから第２両替機２０ｂへ移動すると移動距離が長くなる。このため、管理装置１０は、店員の移動経路を、第２両替機２０ｂ、第１両替機２０ａ、第１釣銭機３０ａの順に決定する。
【０１００】
第１釣銭機３０ａに硬貨を補充する際に、第１釣銭機３０ａから排出される硬貨がない場合（ステップＳ５；Ｎｏ）、管理装置１０は、決定した硬貨の移動方法を店員に案内して（ステップＳ７）、移動方法の決定処理を終了する。
【０１０１】
図１３は、硬貨の移動方法を案内する別の画面例を示す図である。図１３は、管理装置１０が、第１両替機２０ａ及び第２両替機２０ｂから、第１釣銭機３０ａに硬貨を移動すると決定した場合の例を示している。この例では、第１釣銭機３０ａに硬貨を補充する際に、第１釣銭機３０ａから排出される硬貨はない。
【０１０２】
図１３に示すように、第１両替機２０ａから取り外したカセット２７０と、第２両替機２０ｂから取り外したカセット２７０との２つを利用して、第１釣銭機３０ａに硬貨を補充することが店員に通知される。また、硬貨を補充する際に、第１釣銭機３０ａから排出される硬貨はないことが店員に通知される。
【０１０３】
第２両替機２０ｂが図９に示す構成を有し、カセット２７０が１つしかない場合は、画面上に、カセット２７０を取り外すよう指示する情報のみが表示される。一方、第１両替機２０ａが、図１０に示す構成を有し、複数のカセット２７０を含む場合、画面上に、どのカセット２７０を取り外すかを示す情報が表示される。図１３に示す例では、複数のカセット２７０ａ〜２７０ｈのうちカセット２７０ａが取り外されるため、画面上に「カセットＡ」と表示されている。
【０１０４】
バックオフィスの管理装置１０で画面を確認した店員は、画面に表示された移動経路に従って移動する。店員は、第２両替機２０ｂからカセット２７０を取り外す。店員は、第１両替機２０ａの設置場所へ移動して、カセットＡに対応するカセット２７０ａを取り外す。店員は、第１両替機２０ａの設置場所へ移動し、第２両替機２０ｂから取り外したカセット２７０と、第１両替機２０ａから取り外したカセット２７０ａとを順に第１釣銭機３０ａに取り付けて、第１両替機２０ａに硬貨を補充する。
【０１０５】
複数の装置で同時に貨幣不足が発生した場合でも、管理装置１０は、各装置へ貨幣を補充するための移動方法を決定することができる。例えば、第１釣銭機３０ａ及び第３釣銭機３０ｃで硬貨の不足が検知された場合、管理装置１０は、２台の釣銭機３０ａ、３０ｃに硬貨を補充するための硬貨の移動方法を決定して店員に案内する。管理装置１０は、移動元の装置の数がなるべく少なくなるように、かつ、店員の移動距離がなるべく短くなるように、貨幣の移動方法を決定する。第１両替機２０ａのカセット２７０又は第３両替機２０ｃのカセット２７０を利用して２台の釣銭機３０ａ、３０ｃに貨幣を補充できる場合、管理装置１０は、店員の移動距離を短くするため、第３両替機２０ｃを移動元に決定する。管理装置１０は、決定した貨幣の移動方法を店員に案内する。
【０１０６】
図１４は、硬貨の移動方法を案内するさらに別の画面例を示す図である。画面上で、第３両替機２０ｃから２つのカセット２７０を取り外し、一方のカセット２７０を第３釣銭機３０ｃに取り付けて硬貨を補充し、他方のカセット２７０を第１釣銭機３０ａに取り付けて硬貨を補充することが店員に通知される。硬貨補充時に第３釣銭機３０ｃ及び第１釣銭機３０ａで排出される硬貨がないことも店員に通知される。
【０１０７】
第３両替機２０ｃが、図１０に示す構成を有し、複数のカセット２７０を含む場合、画面上に、どのカセットを取り外すかを示す情報が表示される。また、複数のカセット２７０を、異なる装置に取り付けて貨幣を移動する場合、各カセットの移動先を示す情報が表示される。図１４に示す例では、第３両替機２０ｃが有する複数のカセット２７０ａ〜２７０ｈのうち、カセット２７０ａ及びカセット２７０ｂの２つを取り外す。このため、画面上には、第３両替機２０ｃから第３釣銭機３０ｃへの移動経路に「カセットＡ、Ｂ」と表示されている。カセット２７０ａ（カセットＡ）は第３釣銭機３０ｃに取り付けて、カセット２７０ｂ（カセットＢ）は第１釣銭機３０ａに取り付ける。このため、画面上には、第３釣銭機３０ｃを示す数字の下方に「カセットＡ」と表示され、第３釣銭機３０ｃから第１釣銭機３０ａへの移動経路に「カセットＢ」と表示されている。
【０１０８】
バックオフィスの管理装置１０で図１４に示す画面を確認した店員は、画面に表示された移動経路に従って移動する。店員は、第３両替機２０ｃから、カセット２７０ａ及びカセット２７０ｂを取り外し、第３釣銭機３０ｃの設置場所へ移動する。店員は、カセット２７０ａを第３釣銭機３０ｃに取り付けて硬貨を補充する。続いて、店員は、カセット２７０ｂを持って第１釣銭機３０ａの設置場所へ移動する。店員は、カセット２７０ｂを第１釣銭機３０ａに取り付けて硬貨を補充する。
【０１０９】
このように、管理装置１０は、貨幣の移動元及び移動先と、貨幣の移動経路とを決定して店員に貨幣の移動方法を案内する。貨幣の移動に複数のカセット２７０を利用する場合、管理装置１０は、カセット２７０を特定する情報を店員に通知する。複数の装置を順に回る必要がある場合、管理装置１０は、移動経路を店員に案内する。店員は、管理装置１０によって案内された通りに移動して、各装置でカセット２７０の取り外し又は取り付けを行って、貨幣の移動を完了することができる。これにより、装置間の貨幣の移動が容易になり店員の負担が軽減される。
【０１１０】
管理装置１０は、貨幣の余剰が発生した場合も、貨幣が不足した場合と同様に、貨幣の移動方法を決定して店員に案内する。図１５は、硬貨の余剰を検知して硬貨の移動方法を決定する際の処理の流れを示すフローチャートである。管理装置１０は、両替機２０、釣銭機３０及び入出金機４０の在高を管理している。管理装置１０は、各装置に収納されている各金種の貨幣枚数が予め設定された枚数以上となっていないか、すなわち余剰な貨幣が発生していないかを監視している（ステップＳ１１；Ｎｏ）。管理装置１０は、余剰硬貨の発生を検知すると（ステップＳ１１；Ｙｅｓ）、余剰硬貨を回収して他の装置へ移動するための硬貨の移動方法を決定する。
【０１１１】
管理装置１０は、回収する貨幣の金種及び枚数を決定すると共に、この貨幣の移動先となる装置を決定する（ステップＳ１２）。管理装置１０は、各装置の現在の在高、各装置の過去の在高の変化、優先度の設定、選択肢の設定の少なくとも１つに基づいて、貨幣の移動先を決定する。
【０１１２】
管理装置１０は、優先度の高い装置から順に在高を確認し、回収する貨幣を収納できる装置を探索する。優先度が同じ複数の装置の中に、回収貨幣を収納可能な装置が複数ある場合、管理装置１０は、回収貨幣と同一金種の貨幣の現在の収納枚数が最も少ない装置を移動先に決定する。貨幣の収納枚数も同じである場合、管理装置１０は、過去の在高の変化に基づいて移動先を決定する。
【０１１３】
回収貨幣全てを収納できる移動先がない場合、管理装置１０は、複数の装置を移動先に決定する。回収貨幣の移動先が１つの装置である場合（ステップＳ１３；Ｎｏ）、続いて管理装置１０は、移動先の装置で貨幣が排出される可能性があるか否かを判定する（ステップＳ１５）。回収貨幣の移動先が複数の装置である場合（ステップＳ１３；Ｙｅｓ）、管理装置１０は、店員の移動経路を決定し（ステップＳ１４）、移動先の各装置で貨幣が排出される可能性があるか否かを判定する（ステップＳ１５）。
【０１１４】
移動先の装置で排出される貨幣がない場合（ステップＳ１５；Ｎｏ）、管理装置１０は、回収貨幣の移動先と、店員の移動経路とを店員に案内する（ステップＳ１７）。移動先の装置で貨幣が排出される可能性がある場合（ステップＳ１５；Ｙｅｓ）、管理装置１０は、排出貨幣の処理方法を決定する（ステップＳ１６）。排出貨幣の処理方法の決定は、図１１のステップＳ６と同様に行われる。すなわち、管理装置１０は、排出貨幣を移動先の装置に収納できる場合は移動先の装置に収納することとし、収納できない場合は、排出貨幣を収納する他の装置を選択する。管理装置１０は、回収貨幣の移動先と、店員の移動経路とを決定し、必要に応じて、移動先の装置で貨幣が排出された場合の処理方法を決定する。管理装置１０は、貨幣の移動方法を店員に案内して（ステップＳ１７）、移動方法の決定処理を終了する。
【０１１５】
回収貨幣の移動方法の案内も、貨幣補充時の案内と同様に行われる。図１２〜図１４に示した貨幣補充時の案内画面と同様に、店舗３の平面図上に店員の移動経路が表示される。また、各装置から取り外すカセット２７０の情報と、各装置に取り付けるカセット２７０の情報と、排出硬貨の処理に関する情報とが店員に通知される。店員は、管理装置１０が決定した通りに店内を移動しながら、余剰硬貨が発生した装置から硬貨を回収して、移動先の装置に収納する。
【０１１６】
このように、管理装置１０は、貨幣の不足及び余剰を検知して、貨幣の移動方法を決定する。管理装置１０は、決定した移動経路と貨幣の移動に係る作業内容とを店員に案内する。これにより、貨幣の移動に係る店員の負担を軽減することができる。
【０１１７】
両替機２０の余剰貨幣を釣銭機３０で釣銭用に利用することで、現金輸送会社に余剰貨幣の回収を依頼する回数を減らすことができる。釣銭機３０で不足した釣銭用の貨幣を両替機２０から補充することで、現金輸送会社に釣銭用の貨幣の配送を依頼する回数も減らすこともできる。
【０１１８】
本実施形態の図９及び図１０では、両替機２０が硬貨の入金処理のみを行う例を示したが、両替機２０が硬貨及び紙幣の両方を処理する態様であってもよいし、両替機２０が入金処理に加えて出金処理を行う態様であってもよい。例えば、両替機２０が、図４及び図５に示した釣銭機３０、又は図６〜図８に示した入出金機４０と同様の構成を有することにより、両替機２０から貨幣を出金することができる。
【０１１９】
本実施形態の図１１〜図１４では、両替機２０と釣銭機３０との間でカセット２７０を利用して硬貨を移動する例を示したが、両替機２０の間で硬貨を移動することもできるし、釣銭機３０の間で硬貨を移動することもできる。入出金機４０と両替機２０の間で硬貨を移動することもできるし、入出金機４０と釣銭機３０の間で硬貨を移動することもできる。
【０１２０】
貨幣の移動方法はカセットを利用する態様に限定されず、移動元の装置の出金口から貨幣を排出して容器に入れて移動し、移動先の装置の入金口から装置内に貨幣を収納する態様であってもよい。例えば、硬貨の移動元が釣銭機３０である場合は出金口２２０から硬貨を排出できる。硬貨の移動先が釣銭機３０である場合は入金口２１０から硬貨を装置内に収納することができる。
【０１２１】
移動の対象も硬貨のみに限定されず、紙幣のみであってもよいし、紙幣と硬貨の両方であってもよい。紙幣を処理対象に含める場合でも、上述した硬貨の場合と同様に、管理装置１０が、移動元及び移動先の装置と、移動経路と、移動中に各装置で排出される紙幣の処理方法とを決定して店員に案内することができる。
【０１２２】
本実施形態の図１３及び図１４の例では複数のカセット２７０を持って移動する例を示したが、１つのカセット２７０を持って複数台の装置を回って貨幣を移動する場合もある。例えば、第１釣銭機３０ａに５００円硬貨５０枚の補充が必要であるとする。管理装置１０は、５００円硬貨３０枚が収納されたカセット２７０を第３両替機２０ｃから取り外し、入出金機４０の出金部４２０に装着して不足分の５００円硬貨２０枚を収納すると決定する場合がある。この場合、店員は、１つのカセット２７０を持って第３両替機２０ｃ、入出金機４０、第１釣銭機３０ａを順に回り、第１釣銭機３０ａにカセット２７０を取り付けて５００円硬貨５０枚を補充することができる。回収の場合も同様である。例えば、第１両替機２０ａのカセット２７０に収納された５００円硬貨５０枚の回収が必要であるとする。管理装置１０は、カセット２７０を第３釣銭機３０ｃに取り付けて５００円硬貨２０枚を収納した後、カセット２７０を第２両替機２０ｂに取り付けて残り３０枚を収納すると決定する場合がある。この場合、店員は、第１両替機２０ａから取り外したカセット２７０を持って第２両替機２０ｂ、第３釣銭機３０ｃの順に回り、第１釣銭機３０ａから硬貨を回収して第２両替機２０ｂ及び第３釣銭機３０ｃに収納することができる。
【０１２３】
本実施形態では、回収処理と補充処理とを分けて説明したが、回収処理と補充処理とを同時に行うこともできる。例えば、一又は複数の装置から回収した貨幣を、一又は複数の装置への補充に利用することができる。管理装置１０が、上述したように、補充する貨幣の移動方法を決定した後、移動後の各装置の貨幣の在高に基づいて、回収する貨幣の移動方法を決定することにより、貨幣の補充及び回収を同時に行うことができる。同様に、管理装置１０が、回収する貨幣の移動方法を決定した後、移動後の各装置の貨幣の在高に基づいて、補充する貨幣の移動方法を決定することにより、貨幣の回収及び補充を同時に行うことができる。このとき、１つの貨幣処理装置から、ある金種の貨幣を回収すると共に、別の金種の貨幣を補充することもできる。
【０１２４】
本実施形態では、補充対象の貨幣及び回収対象の貨幣を金種に基づいて決定する態様を示したが、移動する貨幣の決定は、貨幣の種類に基づいて行われる。貨幣処理装置の識別部が識別する貨幣の種類に基づいて、移動する貨幣の種類が決定される。具体的には、貨幣の金種、正損、真偽の少なくとも１つの識別結果に基づいて、移動する貨幣を決定することができる。金種には、日本の貨幣、米国の貨幣というように通貨の種類も含まれる。
【０１２５】
本実施形態では、貨幣処理システム１が、管理装置１０と複数種類の貨幣処理装置とによって構成される例を示したが、該構成は機能概略的なものであり、貨幣処理システム１の構成が物理的に該構成に限定されるものではない。例えば、図２に示した例において、入出金機４０が、上述した管理装置１０の機能及び動作の一部又は全部を実現する態様であってもよい。各装置の分散・統合の形態は上述した例に限定されず、その全部又は一部を各種の負荷や使用状況などに応じて、任意の単位で機能的又は物理的に分散・統合して構成することができる。
【０１２６】
上述したように、管理装置１０は、貨幣不足を検知した装置に他の装置から貨幣を移動して補充するため、一又は複数の装置を移動元とする貨幣の移動方法を決定することができる。管理装置１０は、貨幣の余剰を検知した装置から貨幣を回収して他の装置に移動するため、一又は複数の装置を移動先とする貨幣の移動方法を決定することができる。
【０１２７】
管理装置１０は、各装置の現在の在高、各装置の過去の在高の変化、優先度の設定、選択肢の設定の少なくとも１つに基づいて、貨幣を効率よく移動できるように移動方法を決定する。店内に設置された複数の貨幣処理装置の間で貨幣を移動することにより現金輸送会社に貨幣輸送を依頼する回数を減らすことができる。
【０１２８】
管理装置１０は、貨幣の移動を担当する店員に貨幣の移動方法を案内することができる。これにより、貨幣の移動を担当する担当者の貨幣の移動に係る負担を軽減することができる。
【産業上の利用可能性】
【０１２９】
以上のように、本発明に係る貨幣処理システム及び貨幣処理方法は、複数の貨幣処理装置の間で貨幣を容易に移動するために有用である。
【符号の説明】
【０１３０】
１  貨幣処理システム
２  ネットワーク
１０  管理装置
１１〜１４  貨幣処理装置
２０（２０ａ〜２０ｃ）  両替機
３０（３０ａ〜３０ｃ）  釣銭機
４０  入出金機
５０  制御部
６０  記憶部
７０  操作部
８０  表示部
９０  通信部
１００  ＰＯＳレジスタ
１１０、２１０、４１０、５１０  入金口
１２０、２２０、３２０  出金口
１３０、３４０  紙幣処理部
１４０、２４０、４３０  カバー
１５０、２５０、３５０、４５０、５５０  識別部
１６０、３６０、４６０  搬送部
１７０、２７０（２７０ａ〜２７０ｈ）  カセット
１７１（１７１ａ〜１７１ｃ）、２７１（２７１ａ〜２７１ｈ）、３７１（３７１ａ〜３７１ｅ）、４７３（４７３ａ〜４７３ｈ）、５７３（５７３ａ、５７３ｂ）  収納部
２３０、４４０  硬貨処理部
２６０  入金搬送部
２６１、４６１（４６１ａ〜４６１ｈ）、４６２（４６２ａ〜４６２ｈ）、４６３（４６３ａ〜４６３ｈ）、５６２、６００  シュート
２６２  出金搬送部
２７２  回収部
２８０、４８０、５３０  繰出部
３００  ターミナル装置
３１０  入金部
３８０  リジェクト口
４２０  出金部
４７１（４７１ａ〜４７１ｈ）、５７１  一時保留部
４７２  リジェクト部
５４１  切換部材
【図１】
2020140297.tif 000003
【図２】
2020140297.tif 000004
【図３】
2020140297.tif 000005
【図４】
2020140297.tif 000006
【図５】
2020140297.tif 000007
【図６】
2020140297.tif 000008
【図７】
2020140297.tif 000009
【図８】
2020140297.tif 000010
【図９】
2020140297.tif 000011
【図１０】
2020140297.tif 000012
【図１１】
2020140297.tif 000013
【図１２】
2020140297.tif 000014
【図１３】
2020140297.tif 000015
【図１４】
2020140297.tif 000016
【図１５】
2020140297.tif 000017